(57)【特許請求の範囲】
【請求項１】
複数の周波数バンドを備える基地局装置と、前記基地局装置と通信するよう構成された端末装置とを備える無線通信システムにおける制御方法であって、
前記端末装置が使用するアプリケーションのために必要な通信品質に関する要件に基づき、
前記複数の周波数バンドのうち少なくとも一つの第１の周波数バンドにおいて、前記要件を満たすための無線リソースを計算し、
前記第１の周波数バンドにおいて前記計算された無線リソースが第１の所定値を超えた場合に、前記複数の周波数バンドのうちの、前記第１の周波数バンドとは異なる第２の周波数バンドを、前記端末装置のために選択する、
制御方法。
【請求項２】
前記第１の所定値は、
前記第１の周波数バンドの総無線リソース量に所定の比率を乗じた値である、
請求項１記載の制御方法。
【請求項３】
前記計算は、
前記第１の周波数バンドを用いる端末装置ごとに、前記要件を満たすためのリソース量である要求リソース量を計算すること、及び
前記第１の周波数バンドごとに、前記要求リソース量を合計することによって合計値を得ること、
を含む、
請求項１または２記載の制御方法。
【請求項４】
それぞれの前記第２の周波数バンドにおいて、前記要求リソース量を計算し、前記第１の所定値から前記要求リソース量の合計値を減算したリソース量である余裕リソース量を計算し、
前記選択は、
前記余裕リソース量に基づいて行うこと、
を含む
請求項３に記載の制御方法。
【請求項５】
前記要件は、
アプリケーションの種別を識別する識別指標に基づき設定されたスループットの目標値
を含む、
請求項１に記載の制御方法。
【請求項６】
前記識別指標とは、
ＱｏＳ（Ｑｕａｌｉｔｙ  ｏｆ  Ｓｅｒｖｉｃｅ）の識別指標であるＱＣＩ（ＱｏＳ  
Ｃｌａｓｓ  Ｉｄｅｎｔｉｆｉｅｒ）である
請求項５に記載の制御方法。
【請求項７】
前記要件は、
前記基地局装置と上位ネットワークとを中継する中継装置によって作成され、
前記要件は、
前記中継装置を介して転送される、アプリケーション毎のトラフィックに基づく、
請求項１に記載の制御方法。
【請求項８】
前記周波数バンドをセカンダリセルとして、前記端末装置が用いる場合において、
それぞれの前記第２の周波数バンドにおける前記要求リソース量の合計値が前記第１の所定値を超える場合には、当該前記第２の周波数バンドを前記選択の対象から除外する、
請求項３または４に記載の制御方法。
【請求項９】
複数の周波数バンドを備える基地局装置であって、
前記複数の周波数バンドのうちの少なくとも一つの第１の周波数バンドを用いて、端末装置と通信するように構成された送受信機と、
前記端末装置が使用するアプリケーションのために必要な通信品質に関する要件に基づき、
前記少なくとも一つの第１の周波数バンドにおいて、前記要件を満たすための無線リソースを計算し、
前記第１の周波数バンドにおいて前記計算された無線リソースが第１の所定値を超えた場合に、前記複数の周波数バンドのうちの、前記第１の周波数バンドとは異なる第２の周波数バンドを、前記端末装置のために選択するように構成されたプロセッサと、
を備える基地局装置。
【請求項１０】
中継装置であって、
複数の周波数バンドのうちの少なくとも一つの第１の周波数バンドを用いて端末装置と通信するように構成された基地局装置と、
上位ネットワークとの間の通信を中継するように構成され、前記端末装置が使用するアプリケーションのために必要な通信品質に関する要件を作成するプロセッサと、
前記作成された要件を、前記基地局装置に、送信するように構成された送信機とを有し、
前記要件は、
前記基地局装置が、
前記要件を満たすための無線リソースを計算し、
前記第１の周波数バンドにおいて前記計算された無線リソースが第１の所定値を超えた場合に、前記複数の周波数バンドのうちの、前記第１の周波数バンドとは異なる第２の周波数バンドを、前記端末装置のために選択すること、
を可能にする、
中継装置。
【発明の詳細な説明】
【技術分野】
【０００１】
本開示は、基地局装置、中継装置、制御方法に関する。
【背景技術】
【０００２】
特許文献１は、ＱｏＥ（Ｑｕａｌｉｔｙ  ｏｆ  Ｅｘｐｅｒｉｅｎｃｅ）の低下を防ぐための技術を開示する。ＱｏＥは、ＩＰ電話や動画配信などのサービスに対して、ユーザが感じたサービス品質のことである。ある特定のセルにユーザが集中しているとき、多数のユーザが同時にデータ通信を行うと、無線リソースの逼迫が発生し、１ユーザ当りのスループットやユーザＱｏＥが低下する。
【０００３】
これに対して、特許文献１の技術では、無線リソースを有効活用するためのセル間負荷分散制御が行なわれる。具体的には、サービングセルにおける現在の無線リソース使用率、およびネイバーセルにハンドオーバした場合の無線リソース使用率予測値を用いて、基地局装置は、無線リソースが逼迫しているある特定セルから、その隣接セルへ移動局をハンドオーバさせる。
【先行技術文献】
【特許文献】
【０００４】
【特許文献１】特開２０１５−５８７２
【発明の概要】
【発明が解決しようとする課題】
【０００５】
上記のとおり、特許文献１では、ある特定セルでの無線リソースの使用率に基づいて、ハンドーバ先のセルが選択される。
【０００６】
しかし、移動局にて用いられるアプリケーションに応じた、セルの選択は行われていない。
【０００７】
例示的な実施形態の目的は、端末装置にて用いられるアプリケーションに応じた新たなセル選択の仕組みを提供することである。
【課題を解決するための手段】
【０００８】
例示的な実施形態の制御方法に係る無線通信システムは、複数の周波数バンドを備える基地局装置と、前記基地局装置と通信するよう構成された端末装置とを備える。制御方法は、前記端末装置が使用するアプリケーションのために必要な通信品質に関する要件に基づき、前記複数の周波数バンドのうち少なくとも一つの周波数バンドにおいて、前記要件を満たすための無線リソースを計算することを含む。制御方法において、前記計算された無線リソースが第１の所定値を超えた場合に、前記端末装置のための周波数バンドを、前記複数の周波数バンドの中から選択することを含む。
【０００９】
例示的な実施形態の基地局装置は、複数の周波数バンドを備える。基地局装置は、前記複数の周波数バンドの少なくとも一つを用いて、端末装置と通信するように構成された送受信機を備える。基地局装置は、前記端末装置が使用するアプリケーションのために必要な通信品質に関する要件に基づき、前記少なくとも一つの周波数バンドにおいて、前記要件を満たすための無線リソースを計算し、前記計算された無線リソースが第１の所定値を超えた場合に、前記端末装置のための周波数バンドを、前記複数の周波数バンドの中から選択するように構成されたプロセッサを有する。
【００１０】
例示的な実施形態の中継装置は、複数の周波数バンドの少なくとも一つを用いて端末装置と通信するように構成された基地局装置と、上位ネットワークとの間の通信を中継するように構成される。中継装置は、前記端末装置が使用するアプリケーションのために必要な通信品質に関する要件を作成するプロセッサを有する。中継装置は、前記作成された要件を、前記基地局装置に、送信するように構成された送信機を有する。前記要件は、前記基地局装置が、前記要件を満たすための無線リソースを計算し、前記計算された無線リソースが第１の所定値を超えた場合に、前記端末装置のための周波数バンドを、前記複数の周波数バンドの中から選択すること、を可能にする。
【発明の効果】
【００１１】
例示的な実施形態によれば、端末装置が使用するアプリケーションに応じた新たなセル選択の仕組みを提供できる。
【図面の簡単な説明】
【００１２】
【図１】第１の例示的な実施形態の無線通信システムを示す。
【図２】第１の例示的な実施形態の無線通信システムに含まれる構成を示す。
【図３】第１の例示的な実施形態の動作を示す。
【図４】第１の例示的な実施形態にかかる、再接続先の周波数バンドと制御対象端末を選択するため動作を示す。
【図５Ａ】第１の例示的な実施形態における無線リソース使用率の変化の一例を示す。
【図５Ｂ】第１の例示的な実施形態における無線リソース使用率の変化の一例を示す。
【図５Ｃ】第１の例示的な実施形態における無線リソース使用率の変化の一例を示す。
【図５Ｄ】第１の例示的な実施形態における無線リソース使用率の変化の一例を示す。
【図６】第２の例示的な実施形態の無線通信システムを示す。
【図７】第２の例示的な実施形態の動作を示す。
【図８】第２の例示的な実施形態の動作を示す。
【図９】第３の例示的な実施形態の動作を示す。
【図１０】第４の例示的な実施形態の動作を示す。
【図１１】第５の例示的な実施形態の基地局装置を示す。
【図１２】第５の例示的な実施形態の基地局装置の変形例を示す。
【図１３】第５の例示的な実施形態に関連する中継装置を示す。
【図１４】第６の例示的な実施形態を示す。
【発明を実施するための形態】
【００１３】
例示的な実施形態（exemplary embodiment）について、図面を参照して詳細に説明する。各図面において、同一又は対応する要素には同一の符号が付されており、説明の明確化のため、必要に応じて重複説明は省略される。以下に説明される複数の例示的な実施形態は、独立に実施されることもできるし、適宜組み合わせて実施されることもできる。
【００１４】
また、本明細書及び図面において、実質的に同一の機能構成を有する複数の構成要素を、同一の符号の後に異なるアルファベットを付して区別する場合もある。
【００１５】
＜第１の例示的な実施形態＞
第１の例示的な実施形態において、基地局が単独でユーザ(または端末ともいう)毎のアプリケーションの品質要件を作成する。基地局は、品質要件を満たすために必要な要求無線リソースをユーザ毎に推定する。基地局は、基地局が備える各周波数バンドでの要求無線リソースを集計する。基地局は、集計結果に基づいて周波数バンド再選択制御を実施する。また、要求無線リソースに基づいて、基地局は、制御対象の端末と再接続先の周波数バンドを選択する。
【００１６】
図１は、第１の例示的な実施形態に係る無線通信システムの構成を示す。
【００１７】
本実施形態は、ＬＴＥ（Ｌｏｎｇ  Ｔｅｒｍ  Ｅｖｏｌｕｔｉｏｎ）またはＬＴＥ―Ａｄｖａｎｃｅｄの無線通信システムに関連する。
【００１８】
無線通信システムは、上位ネットワーク（ＮＷ）１と、スモールセル基地局２と、端末３から構成される。上位ネットワーク（ＮＷ）１は、例えば、インターネット網から構成される。端末３は、スモールセル基地局２と通信するように構成される。スモールセル基地局２は、複数の周波数バンドを備える。
【００１９】
図１の例は、説明をシンプルにするための構成が示されている。
【００２０】
図１において、スモールセル基地局２は、２つの周波数バンドＲＦ１、ＲＦ２を備える。
【００２１】
また、端末３−１または端末３−２が、周波数バンド毎に基地局が形成するセル内に位置する。４台の端末３−１が、ＲＦ１を使用する。４台の端末３−２が、ＲＦ２を使用する。
【００２２】
本実施形態において、キャリアアグリゲーション技術は、適用されない。１つの端末は、1つの周波数バンドのみを使用する。
【００２３】
また、全ての端末３−１Ａ〜３−１Ｄは、Ｗｅｂを閲覧していると仮定する。全ての端末３−２Ａ〜３−２Ｄは動画を視聴しているものとする。ここで、１つの端末は、同時に複数のアプリケーションを使用しないものとする。
【００２４】
なお、図１において、スモールセル基地局と端末の台数、端末の位置、スモールセル基地局当たりの周波数バンドの数、各端末が使用するアプリケーションは一例であり、これらに限定されない。
【００２５】
また、スモールセルはマクロ基地局が形成する広大なマクロセル（不図示）にオーバレイされてもよい。スモールセルのカバレッジエリアの外は、マクロセルでカバーされていると仮定する。また、マクロセルとスモールセルで使用する周波数は、互いに異なっていてもよいし、同一であってもよい。本実施形態では、マクロセルとスモールセルで使用する周波数が異なるものと仮定する。
【００２６】
図２は、第１の例示的な実施形態の無線通信システムに含まれる構成を示す。なお、全ての端末の構成は実質的に同一であるため、図２では単一の端末３のみが示される。
【００２７】
スモールセル基地局２の詳細が、以下に示される。
【００２８】
スモールセル基地局２は、第１の送受信部２０１、第２の送受信部２０２、アプリ品質要件作成部２０３、集計部２０４、第１の選択部２０５、及び第２の選択部２０６とから構成される。
【００２９】
第１の送受信部２０１は、下り回線（ダウンリンク）において参照信号を含む制御信号またはデータ信号の送信を行うように構成される。なお、参照信号（リファレンスシグナル）は、例えば端末が基地局との通信路品質を測定するために、用いられる。
【００３０】
また、第１の送受信部２０１は、上り回線（アップリンク）の参照信号を含む制御信号またはデータ信号の受信を行うように構成される。
【００３１】
また、第１の送受信部２０１は、下り回線におけるデータの送信先となる端末を選択するように構成される。第１の送受信部２０１は、選択した端末に対して、周波数リソース（ＰＲＢ：  Ｐｈｙｓｉｃａｌ  Ｒｅｓｏｕｒｃｅ  Ｂｌｏｃｋ）及びＭＣＳ（Ｍｏｄｕｌａｔｉｏｎ  ａｎｄ  Ｃｏｄｉｎｇ  Ｓｃｈｅｍｅｓ）などを割り当てるスケジューラ、を含んでもよい。
【００３２】
第１の送受信部２０１は、複数の送受信アンテナ素子との間で送受信される信号を処理するように構成される。
【００３３】
第１の送受信部２０１は、端末毎に各セルにおける無線品質の報告条件を設定するように構成される。
【００３４】
第１の送受信部２０１は、上位ＮＷ１からの端末宛のデータを、第２の送受信部２０２から受信するように構成される。また、第１の送受信部２０１は、受信したデータをバッファに蓄積するように構成される。第１の送受信部２０１は、蓄積されたデータを、各端末へ無線回線を介して送信するように構成される。
【００３５】
第２の送受信部２０２は、端末宛のデータを上位ＮＷ１から有線回線を介して受信するように構成される。また、第２の送受信部２０２は、端末からのデータを上位ＮＷ１へ有線回線を介して送信するように構成される。
【００３６】
アプリ品質要件作成部２０３は、アプリケーション毎に、ＱｏＥを維持する所要の通信品質を満たすための要求条件（以下、アプリ品質要件または単に要件という）を作成するように構成される。この、アプリ品質要件は、ユーザ単位で作成され得る。アプリケーションは、例えば、Ｗｅｂアプリケーションや動画アプリケーションであってもよい。
【００３７】
アプリ品質要件として、例えば、スループットが用いられる。具体的には、アプリ品質要件として、ネットワークのサービス品質を示すＱｕａｌｉｔｙ  ｏｆ  Ｓｅｒｖｉｃｅ（ＱｏＳ）の識別指標であるＱＣＩ（ＱｏＳ  Ｃｌａｓｓ  Ｉｄｅｎｔｉｆｉｅｒ）毎に設定されるスループットの目標値が設定される。インタラクティブトラフィッククラスであるＷｅｂのＱＣＩと、ストリーミングトラフィッククラスである動画のＱＣＩとは、異なる値が設定される。スループットの目標値は、ユーザがアプリケーションの使用を開始した際に、基地局がＱＣＩに基づいて作成する。なお、ＱＣＩは、基地局内部のメモリ等の記憶領域に、予め記憶されていてもよい。このＱＣＩは、例えば、上位ネットワークに含まれるノードから予め通知されてもよい。
【００３８】
集計部２０４は、各ユーザのアプリ品質要件を用いて、ユーザ毎に、要求リソース量を推定するように構成される。集計部２０４は、周波数バンド毎に、接続しているユーザにおける要求リソース量を合計するように構成される。
【００３９】
ここで、リソースとは、周波数リソース（ＰＲＢ）を示す。なお、要求リソース量とは、アプリ品質要件を満たすために必要なＰＲＢの数に対応する。なお、要求リソース量を推定する方法と要求リソース量を合計する方法に関する詳細が、後述される。
【００４０】
第１の選択部２０５は、要求リソース量の合計値が所定の条件を満たしたときに、使用中の周波数バンドとは異なる周波数バンドを再選択させる周波数バンド再選択制御を開始し、本制御の対象となる端末の再接続先となる周波数バンドを選択するよう構成される。例えば、第１の選択部２０５は、要求リソース量の合計値が所定の上限値Ｒｔｈ（例えば全ＰＲＢ数の９０％に相当する量）を超過した場合に、要求リソース量の合計値がＲｔｈ以下の周波数バンドの中から適切な周波数バンドを選択するよう構成される。
【００４１】
第２の選択部２０６は、要求リソース量の合計値が所定の条件を満たしたときに、使用中の周波数バンドとは異なる周波数バンドを再選択させる周波数バンド再選択制御を開始し、周波数バンドを再選択させる制御対象の端末を選択するよう構成される。例えば、要求リソース量の合計値がＲｔｈを超過した場合に、第２の選択部２０６は、要求リソース量に基づいて制御対象の端末を選択する。
【００４２】
なお、基地局が備える上記其々の構成は、少なくとも一つのプロセッサによって構成されてもよい。また、上記構成の少なくとも一つを、集積回路（IC：Integrated Circuit）として構成することもできる。また、上記構成の少なくとも一つを、少なくとも一つのプロセッサの上で動作するプログラムとして構成してもよい。
【００４３】
次に、端末３は、送受信部３０１を少なくとも有する。
【００４４】
送受信部３０１は、上り（アップリンク）の参照信号を含む制御信号またはデータ信号を送信するように構成される。また、送受信部３０１は、下り（ダウンリンク）の参照信号を含む基地局からの制御信号やデータ信号を受信するように構成される。送受信部３０１は、接続中の周波数バンドとそれ以外の周辺の周波数バンドの無線品質を測定するよう構成される。
【００４５】
なお、端末３は、Ｗｅｂや動画を表示するための出力部（不図示）を備えてもよい。出力部は、例えば、動画にかかる音声を出力するスピーカ等を含んでもよい。
【００４６】
無線品質は、例えば、下り参照信号の受信電力であるＲＳＲＰ（Ｒｅｆｅｒｅｎｃｅ  Ｓｉｇｎａｌ  Ｒｅｃｅｉｖｅｄ  Ｐｏｗｅｒ）であってもよい。無線品質は、例えば、下り参照信号の受信品質であるＲＳＲＱ（Ｒｅｆｅｒｅｎｃｅ  Ｓｉｇｎａｌ  Ｒｅｃｅｉｖｅｄ  Ｑｕａｌｉｔｙ）でもよい。ＲＳＲＱはＲＳＲＰを測定する周波数帯域と同一の周波数帯域における総受信電力（ＲＳＳＩ：Ｒｅｃｅｉｖｅｄ  Ｓｉｇｎａｌ  Ｓｔｒｅｎｇｔｈ  Ｉｎｄｉｃａｔｏｒ）に対するＲＳＲＰの比率で定義される。ＲＳＳＩには、自セルからの受信電力とともに周辺の少なくとも一つの他セルからの受信電力が含まれる。各端末は、自セルと他セルに対するＲＳＲＰとＲＳＲＱを測定することができる。
【００４７】
以下において、第１の例示的な実施形態の動作が示される。
【００４８】
図３は、スモールセル基地局２における周波数バンド再選択制御に関する動作を示す。図３の動作は、各スモールセル基地局が備える少なくとも一つの周波数バンドに対して、実施される。図３の動作は、スモール基地局が備える全ての周波数バンドに対して、実施してもよい。図３の動作は、スモール基地局が備える複数の周波数バンドのうち特定の周波数バンドのみに対して、実施してもよい。図３の動作は、所定の周期で実施してもよい。図３の動作は、所定のトリガに基づいて実施してもよい。
【００４９】
Ｓ１０１において、アプリ品質要件作成部２０３は、各ユーザのアプリ品質要件を取得する。
【００５０】
本実施形態では、各ユーザ(操作者)は１台の端末を所有していると仮定する。端末３−１を用いて、あるユーザ(操作者)はＷｅｂを閲覧している。また、端末３−２を用いて、別のユーザ(操作者)は動画を視聴している。端末３−１に対して、Ｗｅｂアプリケーションのスループット（単位はＭｂｐｓなど）の目標値が作成される。また、端末３−２に対して、動画アプリケーションのスループットの目標値が作成される。各アプリケーションは、ＱＣＩで識別される。
【００５１】
ＱｏＥを維持するために、動画アプリケーションでは、一定のビットレートで動画の再生を継続する。Ｗｅｂアプリケーションでは、ユーザ(操作者)が端末を操作した後できるだけ速やかにデータを取得することが要求されるため、Ｗｅｂのスループット目標値は、動画より大きな値に設定する。
【００５２】
Ｓ１０２において、集計部２０４は、各ユーザの要求リソース量を計算する。ここで、iをユーザのID、tを時間として、要求リソース量は、Rreq,i(t)と表される。
【００５３】
要求リソース量は、スケジューリング周期（１ｍｓｅｃ）当たりにスループットの目標値を満たすために必要なＰＲＢ数と定義する。要求リソース量は、式(1)を用いて推定される。
0006648496.tif 000002
【００５４】
TPRB,i(t)［Ｍｂｐｓ／ＰＲＢ］は、ユーザiにおけるＰＲＢ当たりの無線区間のスループットの実測値をそれぞれ表す。TPRB,i(t)は、例えば、スケジューリング周期（１ｍｓｅｃ）当たりに、ユーザiに対してスケジューリングされたＰＲＢ１つ当たりの送信ビット数から求めることができる。なお、TPRB,i(t)は、時刻tにおける瞬時値でもよい。TPRB,i(t)は、図３のフローチャート動作を実施する１周期の間の平均値であってもよい。TPRB,i(t)は、図３のフローチャート動作を実施する１周期の間のトータルの値であってもよい。これは、１周期の間のトータルのＰＲＢあたりのトータルの送信ビット数から求められる。
【００５５】
Ｓ１０３では、集計部２０４は、周波数バンド毎に要求リソース量の合計値を計算する。ここで、cを周波数バンドのＩＤ（またはセルのＩＤともいう）、tを時間として、合計値はTotRreq,c(t)と表される。
【００５６】
例えば、ＲＦ１に対して、全ての端末３−１の要求リソース量が合計される。ＲＦ２に対して、全ての端末３−２の要求リソース量が合計される。
【００５７】
合計値は、式（２）に基づき計算される。ここで、Nc(t)は周波数バンドcにおけるアプリケーション使用中のユーザ数を表す。例えば、ＲＦ１は４、ＲＦ２も４となる。
0006648496.tif 000003
【００５８】
Ｓ１０４において、集計部２０４が、周波数バンド毎に、要求リソース量の合計値TotRreq,c(t)と閾値Ｒｔｈを比較する。合計値がＲｔｈを上回る周波数バンドがある場合（Ｓ１０４でＹＥＳの場合）、Ｓ１０５の処理が実行される。合計値がＲｔｈを上回る周波数バンドがない場合（Ｓ１０４でＮＯの場合）、本フローチャートは終了する。なお、図１の例では、Ｗｅｂユーザが集中しているＲＦ１において、合計値がＲｔｈを上回るものとする。
【００５９】
Ｓ１０５において、合計値がＲｔｈを上回った周波数バンドについて、周波数バンドの再選択制御が開始する。
【００６０】
図４は、図３のＳ１０５において再選択制御を開始した周波数バンドにおいて、制御対象の端末と、その端末が再接続する周波数バンドとを選択する動作、を示す。
【００６１】
Ｓ１１１において、再選択制御を開始した周波数バンド以外の周波数バンドにおいて、余裕リソース量（以下、Rrem,c(t)という）が計算される。なお、再選択制御を開始した周波数バンド以外の周波数バンドとは、Ｓ１０４において、要求リソース量の合計値がＲｔｈを上回らないと判定された（Ｓ１０４でＮＯと判定された）周波数バンドである。
【００６２】
余裕リソース量は、上限値Ｒｔｈに対して余っているリソース量として定義する。余裕リソース量は、式(3)のように表現できる。
0006648496.tif 000004
【００６３】
Ｓ１１２において、少なくとも1つの周波数バンドにおいて、余裕リソース量Rrem,c(t)が0より大きいかどうかが判定される。
【００６４】
Rrem,c(t)>0となる周波数バンドが存在しない場合（Ｓ１１２で「ＮＯ」の場合）、再接続先の周波数バンドが選択不可能であるため、本フローチャートは終了する。
【００６５】
Rrem,c(t)>0となる周波数バンドが存在する場合（Ｓ１１２で「ＹＥＳ」の場合）、Ｓ１１３の処理が実行される。
【００６６】
Ｓ１１３において、余裕リソース量Rrem,c(t)が最大である周波数バンドが、一つ選択される。ここで、余裕リソース量が所定の閾値以上の周波数バンドが、選択されてもよい。選択された周波数バンドが、端末が再接続する周波数バンドとなる。周波数バンド再選択制御を開始した周波数バンドと、端末が再接続する周波数バンドの間で要求リソース量に大きな偏りがある。なお、図１の例では、ＲＦ２が再接続先の周波数バンドとして選択される。
【００６７】
Ｓ１１４において、Ｓ１１３で選択した周波数バンドにおける余裕リソース量と、再選択制御を開始した周波数バンドにおける各ユーザiにおける要求リソース量との差Δiが計算される。ここで、周波数バンド再選択後において、各ユーザの要求リソース量Rreq,i(t)は再選択前と変わらないと仮定する。図３の例において、ＲＦ１とＲＦ２は同一基地局の周波数バンドであり、無線品質がほぼ同程度と仮定できるためである。
【００６８】
Ｓ１１５において、少なくとも一つのユーザにおいて、Δiが０以上かどうかが判定される。
【００６９】
全てのユーザでΔiが負になる場合（Ｓ１１５で「ＮＯ」の場合）、選択した周波数バンドに接続を切り替えられるユーザが存在しないため、本フローチャートは終了する。
【００７０】
Δiが０以上となるユーザが存在する場合（Ｓ１１５で「ＹＥＳ」の場合）、Ｓ１１６が実行される。
【００７１】
Ｓ１１６において、Δiが最小であるユーザが、一つ選択される。選択されたユーザが制御対象となることによって、周波数バンド再選択制御を開始した周波数バンドと、それ以外の周波数バンドとの間の要求リソース量の大きな偏りを解消することができる。
【００７２】
Ｓ１１７において、Ｓ１１６で選択されたユーザの接続先が、Ｓ１１３で選択された周波数バンドに、切り替えられる。この切替は、異なる周波数を備えるセル間で行われる異周波数間ハンドオーバ(ＨＯ)に対応する。本ＨＯは、ＲＳＲＰなどのＨＯに必要な無線品質によらず強制的に実施される。
【００７３】
Ｓ１１８において、周波数バンド再選択制御を起動した周波数バンドと、Ｓ１１３で再接続先として選択した周波数バンドにおいて、要求リソース量の合計値が更新される。この段階において、Ｓ１１７で実施したＨＯ処理は完了していないため、一時的な合計値として計算する。
【００７４】
Ｓ１１９において、周波数バンド再選択制御を開始した周波数バンドにおいて、Ｓ１１８で更新された要求リソース量の合計値が、再度Ｒｔｈと比較される。
【００７５】
更新された合計値がＲｔｈ以下の場合（Ｓ１１９でＹＥＳの場合）、本フローチャートを終了する。すなわち、要求リソース量が上限値Ｒｔｈを上回ることによりＱｏＥが劣化する状況が改善される。
【００７６】
更新された合計値が依然としてＲｔｈを超過している場合（Ｓ１１９でＮＯの場合）、Ｓ１２０の処理が実行される。
【００７７】
Ｓ１２０において、制御対象端末として選択したユーザの総数とユーザ数の閾値Ｎｔｈとが比較される。この比較によって、Ｓ１１６で選択されたユーザ以外のユーザを追加で選択できるかどうかが判定される。この追加の選択は、一つのユーザだけでは要求リソース量を十分に下げることができない場合に実施される。これによって、要求リソース量をさらに低減することを試みる。
【００７８】
Ｎｔｈは、同時に実施可能なＨＯの処理数の上限値に対応する。選択したユーザの総数が、Ｎｔｈを上回る場合（Ｓ１２０でＹＥＳの場合）、ＨＯが一度に実施不可能であるため、本フローチャートは終了する。Ｎｔｈ以下となる場合は（Ｓ１２０でＮＯの場合）、既にＳ１１６にて選択されたユーザを除いて、Ｓ１１６から制御対象端末の選択動作を再び実施する。
【００７９】
図５Ａ〜図５Ｄは、本実施形態を実施した場合の無線リソース使用率の変化の一例を示す。
【００８０】
図５Ａは、周波数バンドＲＦ１にＷｅｂユーザが、周波数バンドＲＦ２に動画ユーザがそれぞれ集中している場合における、無線リソース使用率（瞬時値）を示す。ここで、ＲＦ１における無線リソースとＲＦ２における無線リソースは上限（１００％）まで使用されている。
【００８１】
図５Ｂは、図５Ａと同様の状況における所定のＱｏＥを満足するために、必要な無線リソース使用率の要求値（要求リソース量）の一例を示す。本要求値は、要求リソース量の合計値を使用可能なＰＲＢ数で割った値に対応する。Ｗｅｂユーザは動画ユーザより要求値が高いものとする。
【００８２】
図５Ｂと比較すると、図５ＡのＲＦ１における其々のＷｅｂユーザは、実際に使用する無線リソースが要求値を下回る。この通信が継続されると、要求した無線リソースを確保できず、ＱｏＥが劣化してしまう可能性が高い。
【００８３】
また、ＲＦ２における全ての動画ユーザについて、実際に使用する無線リソースが要求値を上回るため、ＱｏＥは劣化しないもののスループットが一時的に過剰になる。
【００８４】
図５Ａおよび図５Ｂの状況において、本実施形態の動作を実施した場合の例が、図５Ｃ及びＤに示される。ただし、図５Ｄでは、図５Ｃと統一するため、無線リソース使用率の要求値を縦軸としている。本要求値は、要求リソース量の合計値を使用可能なＰＲＢ数で割った値に対応する。
【００８５】
図５Ｃ及び図５Ｄは、図５Ａおよび図５Ｂに対して、ＲＦ１のＷｅｂユーザの中からユーザを一つ選択して、ＲＦ２にＨＯさせた後の無線リソース使用率（図５Ｃ）と、無線リソース使用率の要求値（図５Ｄ）を表す。ＷｅｂユーザをＲＦ１からＲＦ２にＨＯさせたことによって、ＲＦ２の無線リソース使用率の要求値を上限値（１００％）以下に抑えながら、ＲＦ１における要求値を上限値以下にすることができた。この結果、動画ユーザのＱｏＥを維持しながら、ＷｅｂユーザのＱｏＥを改善できる。
【００８６】
このように、たとえＲＦ１とＲＦ２共に無線リソースが上限まで使用されている状況であっても（図５Ａ）、周波数バンドの切り替えによる負荷分散が実施できる。そのため、ＲＦ１におけるＱｏＥの劣化が防止され、ＲＦ２における過剰スループットが回避され得る。
【００８７】
以上のように、本実施形態によれば、実際の無線リソース使用率が高い状況においても、アプリケーションが要求する無線リソース量に基づいて異周波数間ＨＯが実施される。この結果、周波数バンド間の要求リソース量の偏りを是正し、アプリケーションの集中により低下していたＱｏＥを改善することができる。
【００８８】
また、図３と４に示した手順は、プロセッサ（マイクロプロセッサ等）のコンピュータに基地局を制御するためのプログラムを実行させることによって実現可能である。すなわち、基地局制御プログラムを実行するコンピュータに、周波数バンド再選択制御の実施判断と、制御対象端末及び再接続先周波数バンドの選択処理を実施させてもよい。
【００８９】
なお、本実施形態では、基地局が単独で作成するアプリ品質要件として、ＱＣＩに基づくスループットの目標値を用いる例が示されたが、これに限定されない。
【００９０】
アプリ品質要件は、例えば、スモールセル基地局２が備えるＤＰＩ（Ｄｅｅｐ  Ｐａｃｋｅｔ  Ｉｎｓｐｅｃｔｉｏｎ）の機能に基づいてもよい。スモールセル基地局２は、上位ＮＷ１から転送された端末３宛のデータに対してＤＰＩを行うことによって通過するパケットを検査し、通過するパケットに関するアプリケーションを識別する。例えば、識別されたアプリケーション毎にスループットの目標値が、設定される。
【００９１】
なお、アプリ品質要件は、ＱｏＥを維持するためにアプリケーション毎に必要なスループットに限られない。例えば、アプリ品質要件は、遅延時間、所定時間に受信する必要がある送信データサイズ、或いは、動画再生などアプリケーションの中断の時間及び中断の頻度の何れかであってもよい。例えば、データ送信遅延が所定値以下となることが要求されてもよい。
【００９２】
例えば、動画アプリケーションの場合、端末に動画データが十分に届いていないときは、再生中断を起こさないために、高いダウンロードのスループットが要求されることをアプリ品質要件としてもよい。一方、端末に動画データが十分ある場合（十分バッファリングされている場合）は、再生中断は起こりにくいため、低いスループットが要求されることをアプリ品質要件としてもよい。
【００９３】
また、例えば、Ｗｅｂアプリケーションの場合、端末が操作された後すぐにデータを取得するために、高いスループットが要求されることをアプリ品質要件としてもよい。
【００９４】
このようにアプリ品質要件は、時間的に変動する品質要件として設定され得る。
【００９５】
なお、本実施形態おいて、再接続先の周波数バンドとして、余裕リソース量が最大の周波数バンドが選択されたが、これに限られない。例えば、余裕リソース量が所定値以上であれば、任意の周波数バンドが選択されてもよい。
【００９６】
周波数バンドを選択する基準は、絶対値だけでなく相対値であってもよい。余裕リソース量を用いずに、制御対象のユーザが現在使用している周波数バンドより要求リソース量の合計値が小さい周波数バンドが、選択されてもよい。例えば、選択される周波数バンドにおける要求リソース量と、制御対象のユーザが現在使用している周波数バンドの要求リソース量との差がある場合に、上記周波数バンドの選択が行われてもよい。なお、この差に相当する相対値が、所定値を超えた場合に、上記周波数バンドの選択が行われてもよい。
【００９７】
なお、本実施形態では、制御対象のユーザとして、余裕リソース量と要求リソース量の差が最小のユーザが選択されたが、これに限られない。例えば、余裕リソース量を上限に要求リソース量が所定値以上であれば、任意のユーザが選択されてもよい。
【００９８】
余裕リソース量を用いずに、ＱｏＥの減少を防ぐために、要求リソース量と実際に用いたリソース量との差が最大のユーザが選択されてもよい。
【００９９】
なお、本実施形態では、再接続先の周波数バンドが選択された後に、制御対象のユーザが選択されるが、制御の順番はこれに限られない。例えば、任意に制御対象端末が選択された後に、選択された端末の要求リソース量以上の余裕リソース量がある周波数バンドが、再接続先の周波数バンドとして選択されてもよい。
【０１００】
なお、本実施形態において、要求リソース量が、ＰＲＢの数を用いて定義されたが、これに限られない。例えば、ＰＲＢ数を周波数バンド当たりに使用可能なＰＲＢ数で割ったＰＲＢ使用率を用いて、要求リソース量が定義されてもよい。
【０１０１】
なお、本実施形態の例において、周波数バンドが再選択された後に、各ユーザの要求リソース量は、再選択前と変わらないが、これに限られない。例えば、図３において、ＲＦ１のＲＳＲＰとＲＦ２のＲＳＲＰとの差が所定値以上の場合は、無線品質が変化することが想定される。この場合、両者のＲＳＲＰを用いて要求リソース量を補正した上で、要求リソース量の合計値を更新してもよい。この補正とは、例えば、ＲＳＲＰの差に相当する量だけＭＣＳを補正することであってもよい。
【０１０２】
なお、本実施形態では、端末３−１と３−２は同時に複数のアプリケーションを使用していないが、これに限られない。例えば、端末は、複数のアプリケーションを同時に使用してもよい。
【０１０３】
この場合、要求リソース量の合計は、各ユーザの全アプリケーションを対象としてもよい。周波数バンド再選択制御における異周波数間ＨＯは、端末単位で実施される。この場合、制御対象のユーザが複数のアプリケーションを使用している場合、それらのアプリケーションに相当する要求リソースを全てＨＯ対象としてもよい。
【０１０４】
また、要求リソース量の合計は、各アプリケーションを対象としてもよい。この場合、周波数バンド再選択制御における異周波数間ＨＯは、アプリケーション単位で実施される。例えば、ある端末において複数のアプリケーションが使用されている場合、アプリケーション毎に要求リース量が計算され、計算された要求リソース量に基づき、アプリケーション単位のＨＯが実行されてもよい。アプリケーション単位のＨＯとは、あるアプリケーションを第１の周波数バンドから第２の周波数バンドに移行させることをいう。この移行の後、例えば、アプリケーションＡのために第１の周波数バンドが利用され、アプリケーションＢのために第２の周波数バンドが利用されることが可能となる。
【０１０５】
＜第２の例示的な実施形態＞
本実施形態において、アプリ品質要件は、基地局以外の外部の中継装置にて作成される。具体的には、ＮＷ１とスモールセル基地局２との間のデータを中継する中継装置４をさらに備え、中継装置４がアプリ品質要件を作成する。
【０１０６】
図６は、第２の例示的な実施形態の無線通信システムを示す。
【０１０７】
図６において、無線通信システムは、上位ネットワーク１、スモールセル基地局２、端末３、中継装置４を有する。
【０１０８】
図６は、図２に対して、スモールセル基地局２がアプリ品質要件作成部２０３を備えるのではなく、中継装置４がアプリ品質要件作成部４０１を備える点で異なっている。
【０１０９】
図６におけるその他の構成については、図２と同様なため、その他の構成に関する説明は省略される。
【０１１０】
中継装置４は、アプリ品質要件作成部４０１を有する。アプリ品質要件作成部４０１は、端末３にて使用されるＷｅｂや動画などのアプリケーションが必要とする通信品質を満たすための要求条件（アプリ品質要件または単に要件ともいう）を作成する。本実施形態では、説明を容易にするため、通信品質としてスループットを用いることとし、要求条件は要求スループットとして示される。
【０１１１】
要求スループットは、アプリケーション毎にＴＣＰ(Transmission Control Protocol)レイヤにおける実際のトラフィック流量を測定することによって得られ（推定され）、時々刻々と更新される。
【０１１２】
例えば、Ｗｅｂトラフィックの場合、情報ソース（閲覧対象のページ）のトラフィック流量（コンテンツサイズ）が大きいほど、要求スループットが、高く設定される。
【０１１３】
また、動画トラフィックの場合では、トラフィック流量が大きいほど、端末により多くのデータが届いていると推定される。つまり、より多くのデータが届いていると判断された場合、動画の再生に影響ないと推定される。この場合、要求スループットが低く設定される。
【０１１４】
なお、要求スループットの測定対象となるプロトコルは、ＴＣＰに限られない。例えば、測定対象は、ＵＤＰ(User Datagram Protocol)や、他のトランスポートレイヤまたはアプリケーションレイヤのプロトコルであってもよい。
【０１１５】
以下は、本実施形態の動作を示す。
【０１１６】
図７は、中継装置４におけるアプリ品質要件の作成動作に関するフローチャートである。なお、図７の動作は、中継装置４によって、所定の周期で実施されてもよい。図７の動作は、所定のトリガに基づいて、任意のタイミングで実施されてもよい。
【０１１７】
Ｓ４０１において、アプリ品質要件作成部４０１は、アプリケーションフロー毎に、アプリ品質要件を作成する。ＴＣＰレイヤにおけるトラフィック流量と、アプリケーションに応じて、要求スループットが作成される。なお、アプリ品質要件は、端末に応じて作成されてもよい。すなわち、同種のアプリケーションの場合であっても、端末が異なれば、異なるアプリ品質要件が作成され得る。
【０１１８】
Ｓ４０２において、アプリ品質要件作成部４０１は、アプリケーションフロー毎に作成されたアプリ品質要件を、有線回線を介してスモールセル基地局に通知する。
【０１１９】
ただし、中継装置４は、各端末３とスモールセル基地局２との接続関係（またはＩＰアドレスの対応関係）を把握しているとする。また、中継装置４は、アプリ品質要件の通知先となるスモールセル基地局を特定できる。また、アプリ品質要件は、レイヤ２における個別の制御情報として周期的に通知されてもよい。また、アプリ品質要件は、ユーザデータのパケットの中のヘッダ情報として随時通知されてもよい。
【０１２０】
図８は、スモールセル基地局２における周波数バンド再選択制御に関するフローチャートを示す。
【０１２１】
図８は、図３に対して、Ｓ１０１がＳ５０１に置き換わった点で異なる。図８におけるその他の動作は図３と同様であるため、その他の動作に関する説明は省略する。なお、周波数バンド再選択制御を行った後において、制御対象端末および再接続先の周波数バンドを選択する動作は、図４と同様である。
【０１２２】
Ｓ５０１では、中継装置４におけるアプリ品質要件作成部４０１が作成したアプリ品質要件を、回線（有線回線または無線回線）を介してスモールセル基地局２が取得する。取得後、アプリ品質要件は、第２の送受信部２０２を介して、集計部２０４に転送される。
【０１２３】
以上のように、本実施形態において、アプリケーションフロー毎のＴＣＰレイヤのトラフィック流量に基づいて、アプリ品質要件が作成される。このため、より正確なアプリケーションの品質要件に基づく、周波数バンド再選択制御が実施される。
【０１２４】
ＬＴＥやＬＴＥ  Ａｄｖａｎｃｅｄで規定されるプロトコルは、ＯＳＩ（Ｏｐｅｎ  Ｓｙｓｔｅｍｓ  Ｉｎｔｅｒｃｏｎｎｅｃｔｉｏｎ）基本参照モデルにおけるレイヤ２（データリンク層）以下のプロトコルに該当する。そのため、ＬＴＥを含む無線通信システムでは、端末とアプリケーションサーバとは、ＴＣＰなど、ＯＳＩ基本参照モデルにおけるレイヤ３（ネットワーク層）以上のプロトコルを用いて通信する。一方、端末と基地局は、レイヤ２以下のプロトコルを用いて通信する。従って、基地局だけでは、実際のトラフィック需要に基づくアプリ品質要件の精度が低い可能性がある。この可能性を考慮して、本実施形態では、レイヤ３以上のプロトコルを用いた通信を中継装置４が中継することにより、より正確なアプリ品質要件を作成でき、基地局は正確なアプリ品質要件を用いて周波数バンド選択を実施できる。
【０１２５】
＜第３の例示的な実施形態＞
上記例示的な実施形態において、端末がどの周波数バンドにも接続されていない場合、基地局は、端末から受信する測定報告に基づいて、端末のための周波数バンドを選択する。ここで、測定報告とは、端末が測定した周波数バンドに関する受信品質（例えば、ＲＳＲＰ、ＲＳＲＱ等）を含む。
【０１２６】
対して、第３の例示的な実施形態では、既存の端末に関して合計された要求リソース量に基づいて、周波数バンドが選択（初期選択）される。なお、本実施形態の構成は、実施形態１と同様なため、説明は省略する。
【０１２７】
図９は、スモールセル基地局における周波数バンドの初期選択の動作を示す。
【０１２８】
図９の動作は、スモールセル基地局が、自局に接続されていない端末（新規端末）から、新規のバンド使用要求を受信した時に、実施される。
【０１２９】
例えば、待ち受け状態（Idleモード）である端末がデータ通信を開始する際に送信するＲＲＣ（Radio Resource Control）Ｃｏｎｎｅｃｔｉｏｎ  Ｓｅｔｕｐメッセージを基地局が受信した時に、図９の動作が実施されてもよい。または、図９の動作は、データ通信中の端末が他の基地局から当該スモールセル基地局にハンドオーバしてきた時に実施されてもよい。
【０１３０】
Ｓ６０１において、新規にバンド使用要求を送信した端末に対して、図４の１１３と同様に、余裕リソース量が最大の周波数バンドが初期選択される。なお、余裕リソース量が所定の閾値以上の周波数バンドが、選択されてもよい。
【０１３１】
ただし、式（３）における要求リソース量の合計値は、各周波数バンドを使用中の端末のみに基づき算出される。
【０１３２】
以上のように、本実施形態では、予め通信開始時に周波数バンド間で要求リソース量がバランスするように、周波数バンドが初期選択される。このため、要求リソース量の合計値が上限値を上回る確率が低減される。また、ＱｏＥ劣化が発生する頻度が低減され得る。
【０１３３】
＜第４の例示的な実施形態＞
本実施形態は、複数の周波数バンドを同時に束ねて使用するキャリアアグリゲーションに関連する。キャリアアグリゲーションにおいて、基地局は端末との間で、どの周波数帯域を使うか否か整合を取った後に、１つの周波数帯域の使用または同時に束ねられた複数の周波数帯域の使用を行うことができる。キャリアアグリゲーションにおいて、制御用のＲＲＣコネクションを最初に張ったセルが、プライマリセルと呼ばれる。データ用のコネクションを付加的に張ったセルは、セカンダリセルと呼ばれる。プライマリセルはＲＳＲＰやＲＳＲＱなどの受信品質が最大となるセルである。プライマリセル以外で受信品質が所定レベル以上となるセルが、セカンダリセルとして選択される。
【０１３４】
実施形態１から３において、全ての端末がキャリアアグリゲーションを適用せず、異周波数バンド間の強制的なＨＯを行うことによって、周波数バンドの再選択が実施された。
【０１３５】
本実施形態において、キャリアアグリゲーションを適用する端末が存在する。この端末に関するセカンダリセルを解放することが、周波数バンドの再選択とする。すなわち、「セカンダリセルを使わない」選択をすることが、再選択であるとする。
【０１３６】
なお、本実施形態の構成は、実施形態１と同様なため、説明は省略する。
【０１３７】
なお、端末がキャリアアグリゲーションを実施可能か、どの周波数バンドを使用できるかどうか等の条件は、端末の物理的な構成に依存する。そのため、ある周波数バンドにおいて、キャリアアグリゲーションを適用する端末と適用していない端末が混在する可能性がある。例えば、キャリアアグリゲーションが実施できず、1つの周波数バンドしか使用できない端末が同一の周波数バンドに多く接続している場合、他の周波数バンドに比べてその周波数バンドにおいて要求リソース量が偏る可能性がある。
【０１３８】
以下において、本実施形態における動作に関する詳細が示される。
【０１３９】
まず、スモールセル基地局２における周波数バンド再選択制御の実施判定動作が、下記に示される。本実施形態に関するフローチャートは、図３と同様である。ただし、Ｓ１０３において、要求リソース量の合計値を計算する式（２）が異なる。
【０１４０】
本実施形態では、合計値は式（４）のように計算する。ここで、式（２）に対する相違点は、ユーザiの周波数バンドc毎に係数αi,cを導入した点である。係数αi,cは、各周波数バンドcで分担する要求リソース量の分担率と定義する。その値は、0から1である。ｃに対する総和は1である。例えば、単純な等分配の場合、つまり、コンポーネントキャリア数が２であるとき(c=1,2)、αi,cはcによらず0.5とする。または、ＲＳＲＰなどの受信品質に基づく場合、ＲＳＲＰが大きいコンポーネントキャリアほど、受信品質が良い。このため、αi,cを大きな値に設定してもよい。または、要求リソース量に基づく場合、要求リソース量の合計値が小さいコンポーネントキャリアほど、多くのリソースを使用できるので、αi,cを大きな値に設定してもよい。
0006648496.tif 000005
【０１４１】
図１０は、図３の動作の後、再選択制御を開始した周波数バンドにおいて、制御対象の端末を選択する動作を示す。
【０１４２】
Ｓ９１１において、条件を満たすユーザが存在するか否かが判定される。条件を満たすユーザとは、使用しているコンポーネントキャリアの数が２以上、かつ、周波数バンド再選択制御を開始したコンポーネントキャリアをセカンダリセルとして使用しているユーザである。
【０１４３】
このユーザが存在する場合（Ｓ９１１でＹＥＳの場合）、セカンダリセルを解放するユーザを選択するために、Ｓ９１２以降の処理が実行される。
【０１４４】
このユーザが存在しない場合は（Ｓ９１１でＮＯ）、本フローチャートは終了する。
【０１４５】
Ｓ９１２において、要求リソース量が最大のユーザが選択される。本ユーザが制御対象端末となる。
【０１４６】
Ｓ９１３において、Ｓ９１２で選択したユーザに対して、本コンポーネントキャリアの使用が停止される。例えば、停止するために、本コンポーネントキャリアが解放されてもよい。例えば、スケジューラが、本コンポーネントキャリアからの無線リソース割当を禁止してもよい。
【０１４７】
Ｓ９１４において、Ｓ９１２で選択されたユーザに対する、係数αi,cが更新される。具体的には、本コンポーネントキャリアに対するαi,cを０とし、減少した分が別のコンポーネントキャリアに割り振られる。
【０１４８】
Ｓ９１５において、周波数バンド再選択制御を起動した本コンポーネントキャリアにおいて、要求リソース量の合計値が更新される。なお、Ｓ９１５において、Ｓ９１３で実施した停止処理は完了していないため、一時的な合計値として計算される。
【０１４９】
Ｓ９１６において、図４のＳ１１９と同様に、本コンポーネントキャリアにおいて、Ｓ９１５で更新した要求リソース量の合計値が、再度Ｒｔｈと比較される。更新された合計値がＲｔｈ以下となる場合（Ｓ９１６でＹＥＳの場合）、本フローチャートは終了する。この結果、要求リソース量が上限値を上回りＱｏＥが劣化する状況を、回復する事が可能となる。
【０１５０】
更新した合計値が依然としてＲｔｈを超過している場合（Ｓ９１６でＮＯの場合）、Ｓ９１７の動作が実行される。
【０１５１】
Ｓ９１７において、図４のＳ１２０と同様に、制御対象端末として選択したユーザの総数とユーザ数の閾値Ｎｔｈを比較する。この比較によって、Ｓ９１２で選択したユーザ以外のユーザを追加で選択できるかどうかを判定する。
【０１５２】
選択したユーザの総数がＮｔｈを上回る場合（Ｓ９１７でＹＥＳの場合）、本フローチャートは終了する。なお、Ｎｔｈは、同時に実施可能な停止処理の上限値に対応する。選択したユーザの総数がＮｔｈを上回る場合、停止処理を一度に実施できないため、フローチャートは終了する。
【０１５３】
Ｎｔｈ以下となる場合（Ｓ９１７でＮＯの場合）、選択したユーザは除いて、Ｓ９１２から再び制御対象端末の選択動作を実施する。
【０１５４】
本実施形態によれば、キャリアアグリゲーションを適用する端末が存在する場合でも、上記他の実施形態と同様の効果が得られる。
【０１５５】
なお、Ｓ９１１でＮＯの場合、セカンダリセルを解放できるユーザが存在しないため、フローチャートが終了する。
【０１５６】
ただし、セカンダリセルが解放不可能な場合、プライマリセルが切り替えられてもよい。この場合、図４と同様にして、制御対象端末と切替先のプライマリセルを選択する処理が実施される。
【０１５７】
なお、本実施形態では、制御対象のユーザとして、要求リソース量が最大のユーザが選択される例が示されたが、これに限られない。例えば、要求リソース量が所定値以上であれば、任意のユーザが選択されてもよい。また、要求リソース量と実際に用いたリソース量との差が最大のユーザが選択されてもよい。または、使用中のコンポーネントキャリアの数が２以上のユーザの中から選択されてもよい。
【０１５８】
なお、本実施形態では、周波数バンド再選択としてセカンダリセルを解放する例が示されたが、これに限られない。例えば、セカンダリセルの解放に加えて、実施形態１における余裕リソース量が０以上の周波数バンドに新たにセカンダリセルが追加されてもよい。
【０１５９】
また、端末が使用するコンポーネントキャリアの数を変えずに、セカンダリセルを別の周波数バンドに切り替えてもよい。ここで、例えば「切り替え」とは、端末が第１のコンポーネントキャリアを使用した後、この第１コンポーネントキャリアを解放し、セカンダリセルとなる第２のコンポーネントキャリアを選択すること、であってもよい。
【０１６０】
この場合、図４と同じように、制御対象端末と、切替先のセカンダリセルとなるコンポーネントキャリア（周波数バンド）を選択すればよい。
【０１６１】
なお、制御対象端末にとっては、再接続先の周波数バンドは新たに選択せず、使用する周波数バンド（を単位とする）の数が減少する。
【０１６２】
なお、本実施形態において、１つのコンポーネントキャリアが、一つの周波数バンドと呼ばれ得る。例えば、２ＧＨｚ帯に含まれる所定の２０Ｍｈｚの帯域幅を一つの周波数バンドとすることができる。また、選択されるコンポーネントキャリアは、連続帯域（Intra-band）の中から選択されてもよいし、不連続帯域(Inter-band)の中から選択されてもよい。例えば、2GHz帯のみからコンポーネントキャリアが選択され得る。また、例えば、800MHz帯と2GHz帯とからコンポーネントキャリアが選択され得る。
【０１６３】
＜第５の実施形態＞
図１１は、第５の例示的な実施形態の基地局装置を示す。
【０１６４】
基地局装置１１００は、複数の周波数バンドを備える。
【０１６５】
基地局装置１１００は、送受信機１１０１とプロセッサ１１０２とを有する。送受信機１１０１は、複数の周波数バンドの少なくとも一つを用いて、端末装置３と通信するように構成される。
【０１６６】
プロセッサ１１０２は、端末装置３が使用するアプリケーションのために必要な通信品質に関する要件に基づき、少なくとも一つの周波数バンドにおいて、該要件を満たすための無線リソースを計算するように構成される。また、プロセッサ１１０２は、計算された無線リソースに基づき、端末装置３のための周波数バンドを、複数の周波数バンドの中から選択するように構成される。なお、プロセッサ１１０２は、計算された無線リソースが所定値を超えた場合に、端末装置３のための周波数バンドを、複数の周波数バンドの中から選択するように構成されてもよい。
【０１６７】
なお、上記要件は、プロセッサ１１０２によって、作成されてもよい。この場合、上記プロセッサ１１０２は、作成された要件を満たすような周波数バンドを、前記複数の周波数バンドの中から選択するように構成されてもよい。
【０１６８】
図１２は、第５の例示的な実施形態の基地局装置の変形例を示す。
【０１６９】
該変形例の基地局装置１２００は、送受信機１２０１と、メモリ１２０２と、プロセッサ１２０３とを有する。
【０１７０】
基地局装置１２００は、複数の周波数バンドを備える。
【０１７１】
送受信機１２０１は、複数の周波数バンドの少なくとも一つを用いて、端末装置３と通信するように構成される。
【０１７２】
メモリ１２０２は、端末装置３が使用するアプリケーションのために必要な通信品質に関する要件を記憶するように構成される。
【０１７３】
プロセッサ１２０３は、少なくとも一つの周波数バンドにおいて、前記記憶された要件を満たすための無線リソースを計算するように構成される。また、プロセッサ１２０３は、計算された無線リソースに基づき、端末装置３のための周波数バンドを、複数の周波数バンドの中から選択するように構成される。なお、プロセッサ１２０３は、計算された無線リソースが所定値を超えた場合に、端末装置３のための周波数バンドを、複数の周波数バンドの中から選択するように構成されてもよい。
【０１７４】
図１３は、第５の例示的な実施形態に関連する中継装置を示す。
【０１７５】
中継装置１３００は、送信機１３０１と、プロセッサ１３０２とを有する。
【０１７６】
中継装置１３００は、複数の周波数バンドの少なくとも一つを用いて端末装置と通信するように構成された基地局装置と、上位ネットワークとの間の通信を中継するように構成される。
【０１７７】
プロセッサ１３０２は、端末装置が使用するアプリケーションのために必要な通信品質に関する要件を作成するように構成される。
【０１７８】
送信機１３０１は、作成された要件を、基地局装置に、送信するように構成される。
【０１７９】
ここで、要件は、基地局装置が、次の動作を行うことを可能にする。その動作は、要件を満たすための無線リソースを計算すること、及び、計算された無線リソースに基づき、端末装置のための周波数バンドを、複数の周波数バンドの中から選択すること、である。なお、この動作は、計算された無線リソースが所定値を超えた場合に、端末装置のための周波数バンドを、複数の周波数バンドの中から選択するようこと、であってもよい。
【０１８０】
＜第６の例示的な実施形態＞
図１４は、第６の例示的な実施形態を示す。
【０１８１】
本実施形態の基地局装置１４００は、送受信機１４０１と、プロセッサ１４０２とを有する。
【０１８２】
送受信機１４０１は、第１の周波数バンドを用いて、端末装置が使用するアプリケーションに関する無線通信を実行する。
【０１８３】
プロセッサ１４０２は、アプリケーションに要求される品質に関する情報と、無線通信の品質に関する情報とに基づき、端末装置３が接続する周波数バンドを、第１の周波数バンドから第２の周波数バンドに変更するように構成される。
【０１８４】
＜その他の実施の形態＞
また、上記実施形態では、ＬＴＥ方式の無線通信システムに関して説明されたが、様々な実施形態の方法および装置のうちの少なくともいくつかは、多くの非LTEおよび/または非セルラーシステムを含む広範囲の通信システムに適用可能である。例えば、上記実施形態は、ＵＭＴＳ  （Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式であってもよい。また、上記実施形態は、上り回線と下り回線で異なる周波数を同時に使用するＦＤＤ  （Ｆｒｅｑｕｅｎｃｙ  Ｄｉｖｉｓｉｏｎ  Ｄｕｐｌｅｘ）方式を採用する無線通信システムであってもよい。また、上記実施形態は、上り回線と下り回線で同一の周波数を異なる時間で使用するＴＤＤ  （Ｔｉｍｅ  Ｄｉｖｉｓｉｏｎ  Ｄｕｐｌｅｘ）方式を採用する異なる無線通信システム（例えばＷｉＦｉ、ＷｉＭＡＸ（Worldwide interoperability for Microwave Access）、ＩＥＥＥ  ８０２．１６ｍ）であってもよい。
【０１８５】
上記実施形態におけるスモールセルとは、基地局が送信する低送信電力によって形成される狭いカバレッジエリア（セル）を示す。上記実施形態において、スモールセルはマクロセルにオーバレイされているとしたが、セル間の配置関係はこれに限らず、スモールセルはマクロセルよりも小さいマイクロセルにオーバレイされてもよいし、マクロセルにオーバレイされておらず、マクロセルのカバレッジ外となるエリアをカバーする関係であってもよい。なお、スモールセル基地局は、例えば、端末が密集するホットスポットや、無線品質が劣悪な場合が多い屋内に設けられてもよい。
【０１８６】
上記実施形態は、異なるサイズや周波数（周波数帯）のセルが混在するＨｅｔｅｒｏｇｅｎｅｏｕｓ  ｎｅｔｗｏｒｋ環境で実施される周波数バンド選択に関連する。上記実施形態によれば、異なるアプリケーションのトラフィックが混在する環境下において、周波数バンド間でアプリケーションに偏りがある場合に周波数バンドを再選択することで、ユーザ体感品質ＱｏＥが改善され得る。
【０１８７】
上述した周波数バンドとは任意の周波数帯域の少なくとも一つを含み得る。例えば、800MHz帯や2GHz帯などのすでに運用されている周波数帯域に加えて、3.5GHz帯などの高周波数帯域であってもよく、これらに限定されない。例えば、高周波数帯域が選択される場合、より高速かつ大容量の通信が可能となる。
【０１８８】
また、キャリアグリゲーションのコンポーネントキャリアの例ように、特定周波数帯域に含まれる所定の帯域幅のことを、周波数バンドと呼んでもよい。例えば、選択される周波数バンドは、通信規格ごとまたは各オペレーターごとに割当てられた周波数帯域であってもよい。
【０１８９】
なお、上述したＱｏＳは、ネットワークのサービス品質を示す。例えば、ＱｏＳは、パケットロス、パケットの遅延、パケットの到着時間のゆらぎなど、通信事業者やサービス提供者から見たサービス品質の尺度であってもよい。ＱｏＥは、動画の中断時間やＷｅｂのダウンロード時間などのユーザから見たアプリケーションのサービス品質の尺度であってもよい。
【０１９０】
なお、セルを選択することは、セルのために用いられる周波数バンドを選択することと、読み替えてもよい。
【０１９１】
上記実施形態は、Ｗｅｂアプリケーションと動画アプリケーションに限定されない。上記例示的な実施形態は、アプリ品質要件の対象となりうる任意のアプリケーションを含み得る。例えば、上記実施形態は、ＳＮＳ（Ｓｏｃｉａｌ  Ｎｅｔｗｏｒｋｉｎｇ  Ｓｅｒｖｉｃｅ  ）、ＶｏＩＰ（Ｖｏｉｃｅ  ｏｖｅｒ  ＩＰ）、ファイル交換のためアプリなどの多様なアプリケーションを含み得る。
【０１９２】
上述した端末は、無線端末、移動端末またはユーザ端末（またはユーザ）と呼ぶこともできる。また、端末は、システム、加入者ユニット、加入者局、移動局、ワイヤレス端末、モバイルデバイス、ノード、デバイス、リモート局、リモート端末、ワイヤレス通信デバイス、ワイヤレス通信デバイス、ワイヤレス通信装置またはユーザエージェントの機能性の一部または全部を含み得る。端末は、セルラー電話、コードレス電話、セッション開始プロトコル(SIP)電話、スマートフォン、ワイヤレスローカルループ(WLL)局、携帯情報端末(PDA)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。なお、上記実施形態において、端末の操作者が１台の端末を所有している例が示されたが、これに限られない。１台の端末は、複数の操作者によって共有される場合であってもよい。
【０１９３】
また、スモールセル基地局とは、単に、基地局と表すこともできる。基地局は、1つまたは複数のワイヤレス端末との通信に使用することができ、アクセスポイント、ノード、進化型ノードB(eNB)、または他の何らかのネットワークエンティティの機能性の一部または全部を含み得る。基地局は、エアインターフェースを介してUEと通信する。この通信は、1つまたは複数のセクタを通って起こり得る。基地局は、受信したエアインターフェースフレームをIPパケットに変換することによって、UEと、インターネットプロトコル(IP)ネットワークを含み得るアクセスネットワークの残りとの間のルータとして作用し得る。基地局は、エアインターフェース用の属性の管理を調整することもでき、ワイヤードネットワークとワイヤレスネットワークとの間のゲートウェイであってもよい。
【０１９４】
また、上述した実施形態の方法および装置のうちの少なくとも一つによれば、スモールセルの導入または周波数帯域の拡大などによりシステムが複雑化した場合において、柔軟に無線リソースを割り当てることが可能となる。結果として、ＱｏＥを維持または向上が可能となる。
【０１９５】
上述した実施形態の方法および装置のうちの少なくとも一つによれば、周波数バンド間の無線リソースの要求値の偏りを是正し、同一のアプリケーションの集中により低下していたＱｏＥを改善することができる。
【０１９６】
さらに、本発明は上述した実施の形態のみに限定されるものではなく、既に述べた本発明の要旨を逸脱しない範囲において種々の変更が可能であることは勿論である。本明細書で説明したそれぞれの実施形態による機能またはステップおよび/または動作は特定の順序で実行しなくてもよい。さらに、本発明の要素は、単数形で説明または請求されていることがあるが、単数形に限定することが明示的に述べられていない限り、複数形であってもよい。
【０１９７】
＜付記＞
前述の実施形態の一部または全部は、以下の各付記のようにも記載することができる。しかしながら、以下の各付記は、あくまでも、本発明の単なる例示に過ぎず、本発明は、かかる場合のみに限るものではない。
【０１９８】
（付記１）
複数の周波数バンドを備える基地局装置と、前記基地局装置と通信するよう構成された端末装置とを備える無線通信システムにおける制御方法であって、
前記端末装置が使用するアプリケーションのために必要な通信品質に関する要件に基づき、
前記複数の周波数バンドのうち少なくとも一つの周波数バンドにおいて、前記要件を満たすための無線リソースを計算し、
前記計算された無線リソースが第１の所定値を超えた場合に、前記端末装置のための周波数バンドを、前記複数の周波数バンドの中から選択する、
制御方法。
（付記２）
前記第１の所定値は、
前記選択される周波数バンドにおける無線リソースと、前記選択される周波数バンド以外の周波数バンドにおける無線リソースとの差に関する値である、
付記１記載の制御方法。
（付記３）
前記計算は、
前記少なくとも一つの周波数バンドに含まれる一つの周波数バンドを用いる端末装置ごとに、前記要件を満たすためのリソース量である要求リソース量を計算すること、及び
前記少なくとも一つの周波数バンドに含まれる一つの周波数バンドごとに、前記要求リソース量を合計することによって合計値を得ること、
を含む、
付記１または２記載の制御方法。
（付記４）
前記選択は、
前記合計値が所定の条件を満足する周波数バンドを選択すること、
を含む
付記３に記載の制御方法。
（付記５）
前記所定の条件とは、
所定の閾値から前記合計値を減算したリソース量である余裕リソース量が、第２の所定値以上である、
ことである
付記４に記載の制御方法。
（付記６）
前記所定の条件とは、
前記合計値が、前記端末装置が前記選択の前に接続している周波数バンドの合計値より小さい、
ことである
付記４に記載の制御方法。
（付記７）
前記周波数バンドが選択される端末装置は、
前記合計値が前記所定の閾値を超えた前記周波数バンドを用いる、
付記３から６のいずれか一項に記載の制御方法。
（付記８）
前記選択は、
前記余裕リソース量から前記要求リソース量を減算したリソース量が第３の所定値以下となる前記端末装置を選択することを、
を含む
付記７に記載の制御方法。
（付記９）
前記要件は、
アプリケーションの種別を識別する識別指標に基づき設定されたスループットの目標値を含む、
付記１に記載の制御方法。
（付記１０）
前記識別指標とは、
ＱｏＳ（Ｑｕａｌｉｔｙ  ｏｆ  Ｓｅｒｖｉｃｅ）の識別指標であるＱＣＩ（ＱｏＳ  Ｃｌａｓｓ  Ｉｄｅｎｔｉｆｉｅｒ）である
付記９に記載の制御方法。
（付記１１）
前記要件は、
前記基地局装置と上位ネットワークとを中継する中継装置によって作成され、
前記要件は、
前記中継装置を介して転送される、アプリケーション毎のトラフィックに基づく、
付記１に記載の制御方法。
（付記１２）
前記要件は、
ＱｏＥ（Ｑｕａｌｉｔｙ  ｏｆ  Ｅｘｐｅｒｉｅｎｃｅ）を維持するためにアプリケーション毎に必要な以下の少なくとも一つである：
スループット、
遅延時間、
所定時間に受信する必要がある送信データサイズ、または、
アプリケーションの中断の時間及び中断の頻度、
付記９または１１に記載の制御方法。
（付記１３）
前記端末装置が用いる周波数バンドが、
前記選択の前に用いていた周波数バンドから、前記選択された周波数バンドに切り替えられる、
付記１から１２のいずれか一項に記載の制御方法。
（付記１４）
前記選択された周波数バンドが、
前記基地局装置と新規に無線通信を開始する端末装置によって用いられる、
付記１に記載の制御方法。
（付記１５）
前記選択される周波数バンドをセカンダリセルとして、前記端末装置が用いる場合において、
前記端末装置における前記要求リソース量が第４の所定値以上となる、
付記３から６のいずれか一項に記載の制御方法。
（付記１６）
前記周波数バンドを選択することは、
前記セカンダリセルを解放することである、
付記１５に記載の制御方法。
（付記１７）
前記周波数バンドが選択された端末装置とは、
前記合計値が前記所定の閾値を超えた前記周波数バンドにプライマリセルとして接続しており、かつ、
前記接続する周波数バンドにおける前記余裕リソース量から前記要求リソース量を減算したリソース量が第５の所定値以下となる前記端末装置である
付記３から６のいずれか一項に記載の制御方法。
（付記１８）
前記周波数バンドを選択される端末装置とは、
前記合計値が前記所定の閾値を超えた前記周波数バンドに接続しており、
かつ、
同時に接続している前記周波数バンドの数が２以上である前記端末装置である
付記３から６のいずれか一項に記載の制御方法。
（付記１９）
複数の周波数バンドを備える基地局装置であって、
前記複数の周波数バンドの少なくとも一つを用いて、端末装置と通信するように構成された送受信機と、
前記端末装置が使用するアプリケーションのために必要な通信品質に関する要件に基づき、
前記少なくとも一つの周波数バンドにおいて、前記要件を満たすための無線リソースを計算し、
前記計算された無線リソースが第１の所定値を超えた場合に、前記端末装置のための周波数バンドを、前記複数の周波数バンドの中から選択するように構成されたプロセッサと、
を備える基地局装置。
（付記２０）
中継装置であって、
複数の周波数バンドの少なくとも一つを用いて端末装置と通信するように構成された基地局装置と、上位ネットワークとの間の通信を中継するように構成され、
前記端末装置が使用するアプリケーションのために必要な通信品質に関する要件を作成するプロセッサと、
前記作成された要件を、前記基地局装置に、送信するように構成された送信機とを有し、
前記要件は、
前記基地局装置が、
前記要件を満たすための無線リソースを計算し、
前記計算された無線リソースが第１の所定値を超えた場合に、前記端末装置のための周波数バンドを、前記複数の周波数バンドの中から選択すること、
を可能にする、
中継装置。
（付記２１）
端末装置と、複数の周波数バンドを備える基地局装置とを有する無線通信システムにおいて、
前記端末装置は、
前記複数の周波数バンドの少なくとも一つを用いて、前記基地局装置と通信するように構成され、
前記基地局装置は、
前記端末装置が使用するアプリケーションのために必要な通信品質に関する要件に基づき、
前記少なくとも一つの周波数バンドにおいて、前記要件を満たすための無線リソースを計算し、
前記無線リソースが第１の所定値を超えた場合に、前記端末装置のための周波数バンドを、前記複数の周波数バンドの中から選択するように構成される、
無線通信システム。
（付記２２）
複数の周波数バンドを備える基地局装置と通信可能に構成された端末装置が使用するアプリケーションのために、必要な通信品質に関する要件に基づき、
前記少なくとも一つの周波数バンドにおいて、前記要件を満たすための無線リソースを計算し、
前記計算された無線リソースが第１の所定値を超えた場合に、前記端末装置のための周波数バンドを、前記複数の周波数バンドの中から選択することを、
コンピュータに実行させるためのプログラム。
（付記２３）
複数の周波数バンドを備える基地局装置であって、
前記複数の周波数バンドの少なくとも一つを用いて、端末装置と通信するように構成された送受信機と、
前記端末装置が使用するアプリケーションのために必要な通信品質に関する要件を作成し、
前記少なくとも一つの周波数バンドにおいて、前記要件を満たすための無線リソースを計算し、
前記計算された無線リソースが第１の所定値を超えた場合に、前記端末装置のための周波数バンドを、前記複数の周波数バンドの中から選択するように構成されたプロセッサと、
を備える基地局装置。
（付記２４）
複数の周波数バンドを備える基地局装置であって、
前記複数の周波数バンドの少なくとも一つを用いて、端末装置と通信するように構成された送受信機と、
前記端末装置が使用するアプリケーションのために必要な通信品質に関する要件を記憶するメモリと、
前記少なくとも一つの周波数バンドにおいて、前記記憶された要件を満たすための無線リソースを計算し、
前記計算された無線リソースが第１の所定値を超えた場合に基づき、前記端末装置のための周波数バンドを、前記複数の周波数バンドの中から選択するように構成されたプロセッサと、
を備える基地局装置。
（付記２５）
複数の周波数バンドを備える基地局装置であって、
前記複数の周波数バンドの少なくとも一つを用いて、端末装置と通信するように構成された送受信機と、
前記端末装置が使用するアプリケーションのために必要な通信品質に関する要件を作成し、
前記要件を満たすような周波数バンドを、前記複数の周波数バンドの中から選択するように構成されたプロセッサと、
を備える基地局装置。
（付記２６）
第１の周波数バンドを用いて、端末装置が使用するアプリケーションに関する無線通信を実行するように構成される送受信機と、
前記アプリケーションに要求される品質に関する情報と、前記無線通信の品質に関する情報とに基づき、
前記端末装置が接続する周波数バンドを、前記第１の周波数バンドから第２の周波数バンドに変更するように構成されるプロセッサと、
を有する基地局装置。
【符号の説明】
【０１９９】
１  上位ネットワーク
２  スモールセル基地局
３、３−１、３−２  端末
４  中継装置
２０１  第１の送受信部
２０２  第２の送受信部
２０３  アプリ品質要件作成部
２０４  集計部
２０５  第１の選択部
２０６  第２の選択部
３０１  送受信部
４０１  アプリ品質要件作成部
１１００、１２００、１４００  基地局装置
１１０１、１２０１、１４０１  送受信機
１１０２、１２０３、１４０２  プロセッサ
１２０２  メモリ
１３００  中継装置
１３０１  送信機
１３０２  プロセッサ
【図１】
0006648496.tif 000006
【図２】
0006648496.tif 000007
【図３】
0006648496.tif 000008
【図４】
0006648496.tif 000009
【図５Ａ】
0006648496.tif 000010
【図５Ｂ】
0006648496.tif 000011
【図５Ｃ】
0006648496.tif 000012
【図５Ｄ】
0006648496.tif 000013
【図６】
0006648496.tif 000014
【図７】
0006648496.tif 000015
【図８】
0006648496.tif 000016
【図９】
0006648496.tif 000017
【図１０】
0006648496.tif 000018
【図１１】
0006648496.tif 000019
【図１２】
0006648496.tif 000020
【図１３】
0006648496.tif 000021
【図１４】
0006648496.tif 000022